(57)【特許請求の範囲】
【請求項１】
原稿搬送路と、原稿搬送路における原稿挿入部に配置された原稿搬入ローラ対とを備えた原稿搬送装置において、
原稿搬送路の上側に配設された支持枠本体と、支持枠本体に旋回自在に支持されたカバー枠体とを備え、原稿搬入ローラ対は、原稿搬送路の下側に配置された被駆動ローラと、カバー枠体に支持された従動ローラとから構成され、カバー枠体は、従動ローラが被駆動ローラに圧接される閉位置と、従動ローラが被駆動ローラに対し上方に離隔した開位置との間を選択的に旋回可能であり、
支持枠本体の、原稿搬入ローラ対の下流側には、シャッタ部材が、原稿搬送路を遮断して原稿挿入部から原稿搬送路に挿入される原稿の先端が当接されて位置決めされる遮断位置と、原稿搬送路から上方に退避して該原稿の移動を許容する開放位置との間を鉛直に昇降自在に支持され、カバー枠体が開位置から閉位置まで旋回させられるとシャッタ部材は遮断位置から開放位置まで鉛直に上昇させられかつカバー枠体が閉位置から開位置まで旋回させられるとシャッタ部材は開放位置から遮断位置まで鉛直に下降させられるよう、カバー枠体とシャッタ部材とは相互に連動しうるよう構成され、
カバー枠体にはシャッタ部材を昇降させうるカム手段が配設され、支持枠本体とシャッタ部材との間にはシャッタ部材を開放位置に向けて強制する弾性部材が配設され、カバー枠体が閉位置から開位置まで旋回させられると、シャッタ部材はカム手段の押し下げ作用により弾性部材に抗して開放位置から遮断位置まで鉛直に下降させられ、カバー枠体が開位置から閉位置まで旋回させられると、シャッタ部材はカム手段の実質的な押圧解除作用により弾性部材の弾性押し上げ作用によって遮断位置から開放位置まで鉛直に上昇させられる、
ことを特徴とする原稿搬送装置。
【請求項２】
カム手段は円弧状のカム面を有する板ばね部材から構成され、シャッタ部材には被押圧面が形成され、板ばね部材のカム面は、カバー枠体が閉位置から開位置まで旋回させられると、シャッタ部材の被押圧面を弾性的に押圧してシャッタ部材を弾性部材に抗して開放位置から遮断位置まで鉛直に下降させる作用位置に位置付けられ、板ばね部材のカム面はまた、カバー枠体が開位置から閉位置まで旋回させられると、シャッタ部材の被押圧面に対する弾性的な押圧を実質上解除してシャッタ部材を弾性部材により遮断位置から開放位置まで鉛直に上昇させる非作用位置に位置付けられる、請求項１記載の原稿搬送装置。
【請求項３】
カバー枠体は支持枠本体に旋回軸を介して回動自在に支持され、カバー枠体が閉位置から開位置まで旋回させられると、作用位置に位置付けられた板ばね部材は、カバー枠体を旋回軸まわりに強制して開位置に保持する、請求項２記載の原稿搬送装置。
【請求項４】
原稿搬送路と、原稿搬送路における原稿挿入部に配置された原稿搬入ローラ対とを備えた原稿搬送装置において、
原稿搬送路の上側に配設された支持枠本体と、支持枠本体に旋回自在に支持されたカバー枠体とを備え、原稿搬入ローラ対は、原稿搬送路の下側に配置された被駆動ローラと、カバー枠体に支持された従動ローラとから構成され、カバー枠体は、従動ローラが被駆動ローラに圧接される閉位置と、従動ローラが被駆動ローラに対し上方に離隔した開位置との間を選択的に旋回可能であり、
支持枠本体の、原稿搬入ローラ対の下流側には、シャッタ部材が、原稿搬送路を遮断して原稿挿入部から原稿搬送路に挿入される原稿の先端が当接されて位置決めされる遮断位置と、原稿搬送路から上方に退避して該原稿の移動を許容する開放位置との間を鉛直に昇降自在に支持され、カバー枠体が開位置から閉位置まで旋回させられるとシャッタ部材は遮断位置から開放位置まで鉛直に上昇させられかつカバー枠体が閉位置から開位置まで旋回させられるとシャッタ部材は開放位置から遮断位置まで鉛直に下降させられるよう、カバー枠体とシャッタ部材とは相互に連動しうるよう構成され、
シャッタ部材は自重により開放位置から遮断位置に鉛直に下降しかつ自重に抗して遮断位置から開放位置に鉛直に上昇しうるよう支持枠本体に支持され、カバー枠体には、カバー枠体の旋回によってシャッタ部材を昇降させる作用突部が配設され、シャッタ部材には被作用面が形成され、シャッタ部材の被作用面はカバー枠体の作用突部の旋回軌跡上に配置され、カバー枠体が開位置から閉位置まで旋回させられると、該作用突部はシャッタ部材の被作用面に下方から当接してシャッタ部材を自重に抗して遮断位置から開放位置まで鉛直に上昇させ、カバー枠体が閉位置から開位置まで旋回させられると、該作用突部はシャッタ部材の被作用面から下方に離隔する方向に移動して離隔させられて、シャッタ部材を自重により開放位置から遮断位置まで鉛直に下降させる、
ことを特徴とする原稿搬送装置。
【請求項５】
原稿挿入部に配設されかつ挿入された原稿を検出しうる挿入原稿検出手段と、支持枠本体に配設されかつカバー枠体の開位置及び閉位置を検出しうる開閉位置検出手段と、原稿が原稿挿入部に挿入されかつカバー枠体が閉位置に位置付けられると、挿入原稿検出手段及び開閉位置検出手段からの検出信号に基づいて、原稿搬入ローラ対を回転駆動させる制御手段とを備えている、請求項１〜４のいずれか１項に記載の原稿搬送装置。
【請求項６】
シャッタ部材には複数の突出部が長手方向に間隔をおいてシャッタ部材の下端面から下方に延び出すよう形成され、原稿搬送路には下案内板が備えられ、下案内板には複数のスリットが原稿搬送路の幅方向に間隔をおいて複数個形成され、スリットの各々は、原稿搬送方向に間隔をおいた位置から相互に接近する方向に下方に向かって傾斜するよう打ち出されることにより形成された一対の傾斜部の各々の先端間に形成され、シャッタ部材が開放位置から遮断位置まで鉛直に下降させられると、シャッタ部材の下端面は下案内板の上面に位置付けられかつシャッタ部材の突出部の各々は、対応するスリットの間に位置付けられ、シャッタ部材が遮断位置から開放位置まで鉛直に上昇させられると、シャッタ部材の突出部の各々は、対応するスリットの間から上方に抜け出して下案内板の上面よりも上方に間隔をおいて位置付けられる、請求項１〜５のいずれか１項に記載の原稿搬送装置。
【請求項７】
請求項１〜６のいずれか１項に記載の原稿搬送装置を備え、該原稿搬送装置によって搬送される原稿の画像を読み取って用紙に記録する、
ことを特徴とする画像形成機。
【発明の詳細な説明】
【０００１】
【発明の属する技術分野】
本発明は、原稿搬送装置、更に具体的には、原稿を手作業により原稿搬送路に挿入する形式の原稿搬送装置、及び該原稿搬送装置を備えた画像形成機、例えば、静電複写機からなる画像形成機に関する。
【０００２】
【従来の技術】
大サイズの原稿、例えばＪＩＳのＡ０サイズの原稿を複写することが可能な静電複写機は、その上端部に原稿搬送装置を備えている。この原稿搬送装置は、ほぼ水平に延在するよう配設された原稿搬送路と、原稿搬送路における原稿挿入部に配置された原稿搬入ローラ対とを備えている。原稿挿入部の上流側には原稿テーブルが配設されている。原稿搬送路における、原稿搬入ローラ対の下流側には、原稿押さえローラ及び排出ローラ対が上流から下流に向かってその順に配置されている。原稿搬入ローラ対及び排出ローラ対は、被駆動ローラと従動ローラとから構成され、原稿押さえローラは従動ローラから構成されている。複写機本体の上端には支持枠体が、複写機本体の上面部の少なくとも一部領域を上方に露呈する開位置と、複写機本体の上面部の該領域を覆う閉位置との間を旋回軸まわりに旋回自在に支持されている。原稿搬入ローラ対及び排出ローラ対の被駆動ローラは、複写機本体の上端部に回転自在に配設されている。原稿搬入ローラ対及び排出ローラ対の従動ローラと、原稿押さえローラとは、支持枠体に回転自在に配設されている。
【０００３】
原稿搬入ローラ対の被駆動ローラは、電磁クラッチを含む動力伝達機構を介して複写機本体に設けられた電動モータに駆動連結されている。排出ローラ対の被駆動ローラは該電動モータに動力伝達機構を介して駆動連結されている。原稿押さえローラは排出ローラ対の従動ローラに、プーリ及びベルトを介して駆動連結されている。原稿搬送路には原稿読取位置が設けられ、原稿読取位置には水平上面を有するガラスが配置されている。ガラスは複写機本体の上端に配置されている。支持枠体が閉位置に位置付けられると、原稿搬入ローラ対及び排出ローラ対の従動ローラは複写機本体に設けられた、対応する被駆動ローラに圧接され、原稿押さえローラはガラスの上面に圧接される。複写機本体の、ガラスの下側には光源を含む密着型イメージセンサが配置されている。原稿搬送路における原稿搬入ローラ対の直上流側には挿入原稿検出スイッチが配設されている。また原稿搬入ローラ対の直下流側には原稿の後端を検出するための原稿後端検出スイッチが配設されている。
【０００４】
原稿が原稿挿入部から手作業により挿入されてその先端が原稿搬入ローラ対のニップ部に挿入されて位置決めされると、挿入原稿検出スイッチがＯＮされる。挿入原稿検出スイッチがＯＮされてから所定時間経過後、電磁クラッチがＯＮされ、次いで電動モータが作動させられて、原稿搬入ローラ対、原稿押さえローラ及び排出ローラ対が回転駆動される。原稿は原稿搬入ローラ対、原稿押さえローラ及び排出ローラ対により原稿搬送路を通して搬送され、排出ローラ対により原稿搬送路から排出される。原稿の後端が原稿後端検出スイッチを通過して原稿後端検出スイッチがＯＦＦされると、電磁クラッチがＯＦＦされ、原稿搬入ローラ対の回転駆動が停止される。また原稿後端検出スイッチがＯＦＦされてから所定時間経過後、電動モータが停止させられ、原稿押さえローラ及び排出ローラ対の回転駆動が停止させられる。以上のとおりにして原稿搬送装置により搬送される原稿の画像は、原稿搬送路の途中に配設された画像読取位置を通過する過程において、密着型イメージセンサによって読み取られる。該センサによって読み取られた画像は、複写機の画像形成部に送られてトナー像化される。そして該トナー像は、複写機に配設された用紙収容部から搬送される用紙に転写、定着されることにより、原稿の画像のコピーが行なわれる。
【０００５】
【発明が解決しようとする課題】
上記した従来の原稿搬送装置において、原稿のコピーを行なうに際しては、使用者は先ず、原稿を原稿挿入部から挿入して原稿の先端を原稿搬入ローラ対のニップ部に手作業により挿入して原稿の搬送方向における位置決めを行なうと共に、原稿の先端を搬送方向に対し直角に位置付けることによって、斜め給紙を防止するようにしている。しかしながら、原稿搬入ローラ対が回転駆動されて原稿の先端が、回転する原稿搬入ローラ対にニップされた瞬間に原稿の先端が斜めになり易く、原稿の斜め給紙を確実に防止できないおそれがあり、したがって原稿を損傷するおそれがある。その理由は、原稿搬入ローラ対のニップ部の上流側の隙間が被駆動ローラの外周面と従動ローラの外周面との間でニップ部に向かって徐々に少なくなるよう形成されているので、使用者が原稿搬入ローラ対のニップ部に沿って原稿の先端をその幅方向の全域にわたって均一に挿入して位置決めする手作業が比較的困難であることにある。そして特に、原稿のサイズが大きい程、上記位置決め作業を正確に行なうことが困難になる。また、上記した原稿搬送装置を備え、該原稿搬送装置によって搬送される原稿の画像を読み取って用紙に記録する画像形成機においては、所定のとおりの円滑な画像記録の遂行が損なわれて効率が低減されるおそれがあり、改善が要望されているところであった。
【０００６】
本発明の目的は、原稿の先端を搬送方向に対し直角となるように正確に位置決めする手作業を容易に可能にし、その結果、原稿の斜め給紙を確実に防止して原稿の損傷を確実に防止することを可能にする、新規な原稿搬送装置を提供することである。
【０００７】
本発明の他の目的は、大サイズの原稿であっても原稿の先端を搬送方向に対し直角となるように正確に位置決めする手作業を容易に可能にし、その結果、原稿の斜め給紙を確実に防止して原稿の損傷を確実に防止することを可能にする、新規な原稿搬送装置を提供することである。
【０００８】
本発明の更に他の目的は、原稿の先端を搬送方向に対し直角となるように正確に位置決めする手作業を容易に可能にし、その結果、原稿の斜め給紙を確実に防止して原稿の損傷を確実に防止することを可能にする原稿搬送装置を備えることにより、所定のとおりの円滑な画像記録の遂行が保証され、高い画像形成効率が確保される、新規な画像形成機を提供することである。
【０００９】
本発明の更に他の目的は、大サイズの原稿であっても原稿の先端を搬送方向に対し直角となるように正確に位置決めする手作業を容易に可能にし、その結果、原稿の斜め給紙を確実に防止して原稿の損傷を確実に防止することを可能にする原稿搬送装置を備えることにより、所定のとおりの円滑な画像記録の遂行が保証され、高い画像形成効率が確保される、新規な画像形成機を提供することである。
【００１０】
【課題を解決するための手段】
本発明の一局面によれば、
原稿搬送路と、原稿搬送路における原稿挿入部に配置された原稿搬入ローラ対とを備えた原稿搬送装置において、
原稿搬送路の上側に配設された支持枠本体と、支持枠本体に旋回自在に支持されたカバー枠体とを備え、原稿搬入ローラ対は、原稿搬送路の下側に配置された被駆動ローラと、カバー枠体に支持された従動ローラとから構成され、カバー枠体は、従動ローラが被駆動ローラに圧接される閉位置と、従動ローラが被駆動ローラに対し上方に離隔した開位置との間を選択的に旋回可能であり、
支持枠本体の、原稿搬入ローラ対の下流側には、シャッタ部材が、原稿搬送路を遮断して原稿挿入部から原稿搬送路に挿入される原稿の先端が当接されて位置決めされる遮断位置と、原稿搬送路から上方に退避して該原稿の移動を許容する開放位置との間を鉛直に昇降自在に支持され、カバー枠体が開位置から閉位置まで旋回させられるとシャッタ部材は遮断位置から開放位置まで鉛直に上昇させられかつカバー枠体が閉位置から開位置まで旋回させられるとシャッタ部材は開放位置から遮断位置まで鉛直に下降させられるよう、カバー枠体とシャッタ部材とは相互に連動しうるよう構成され、
カバー枠体にはシャッタ部材を昇降させうるカム手段が配設され、支持枠本体とシャッタ部材との間にはシャッタ部材を開放位置に向けて強制する弾性部材が配設され、カバー枠体が閉位置から開位置まで旋回させられると、シャッタ部材はカム手段の押し下げ作用により弾性部材に抗して開放位置から遮断位置まで鉛直に下降させられ、カバー枠体が開位置から閉位置まで旋回させられると、シャッタ部材はカム手段の実質的な押圧解除作用により弾性部材の弾性押し上げ作用によって遮断位置から開放位置まで鉛直に上昇させられる、
ことを特徴とする原稿搬送装置、が提供される。
カム手段は円弧状のカム面を有する板ばね部材から構成され、シャッタ部材には被押圧面が形成され、板ばね部材のカム面は、カバー枠体が閉位置から開位置まで旋回させられると、シャッタ部材の被押圧面を弾性的に押圧してシャッタ部材を弾性部材に抗して開放位置から遮断位置まで鉛直に下降させる作用位置に位置付けられ、板ばね部材のカム面はまた、カバー枠体が開位置から閉位置まで旋回させられると、シャッタ部材の被押圧面に対する弾性的な押圧を実質上解除してシャッタ部材を弾性部材により遮断位置から開放位置まで鉛直に上昇させる非作用位置に位置付けられる、ことが好ましい。
カバー枠体は支持枠本体に旋回軸を介して回動自在に支持され、カバー枠体が閉位置から開位置まで旋回させられると、作用位置に位置付けられた板ばね部材は、カバー枠体を旋回軸まわりに強制して開位置に保持する、ことが好ましい。
本発明の他の局面によれば、
原稿搬送路と、原稿搬送路における原稿挿入部に配置された原稿搬入ローラ対とを備えた原稿搬送装置において、
原稿搬送路の上側に配設された支持枠本体と、支持枠本体に旋回自在に支持されたカバー枠体とを備え、原稿搬入ローラ対は、原稿搬送路の下側に配置された被駆動ローラと、カバー枠体に支持された従動ローラとから構成され、カバー枠体は、従動ローラが被駆動ローラに圧接される閉位置と、従動ローラが被駆動ローラに対し上方に離隔した開位置との間を選択的に旋回可能であり、
支持枠本体の、原稿搬入ローラ対の下流側には、シャッタ部材が、原稿搬送路を遮断して原稿挿入部から原稿搬送路に挿入される原稿の先端が当接されて位置決めされる遮断位置と、原稿搬送路から上方に退避して該原稿の移動を許容する開放位置との間を鉛直に昇降自在に支持され、カバー枠体が開位置から閉位置まで旋回させられるとシャッタ部材は遮断位置から開放位置まで鉛直に上昇させられかつカバー枠体が閉位置から開位置まで旋回させられるとシャッタ部材は開放位置から遮断位置まで鉛直に下降させられるよう、カバー枠体とシャッタ部材とは相互に連動しうるよう構成され、
シャッタ部材は自重により開放位置から遮断位置に鉛直に下降しかつ自重に抗して遮断位置から開放位置に鉛直に上昇しうるよう支持枠本体に支持され、カバー枠体には、カバー枠体の旋回によってシャッタ部材を昇降させる作用突部が配設され、シャッタ部材には被作用面が形成され、シャッタ部材の被作用面はカバー枠体の作用突部の旋回軌跡上に配置され、カバー枠体が開位置から閉位置まで旋回させられると、該作用突部はシャッタ部材の被作用面に下方から当接してシャッタ部材を自重に抗して遮断位置から開放位置まで鉛直に上昇させ、カバー枠体が閉位置から開位置まで旋回させられると、該作用突部はシャッタ部材の被作用面から下方に離隔する方向に移動して離隔させられて、シャッタ部材を自重により開放位置から遮断位置まで鉛直に下降させる、
ことを特徴とする原稿搬送装置、が提供される。
原稿挿入部に配設されかつ挿入された原稿を検出しうる挿入原稿検出手段と、支持枠本体に配設されかつカバー枠体の開位置及び閉位置を検出しうる開閉位置検出手段と、原稿が原稿挿入部に挿入されかつカバー枠体が閉位置に位置付けられると、挿入原稿検出手段及び開閉位置検出手段からの検出信号に基づいて、原稿搬入ローラ対を回転駆動させる制御手段とを備えている、ことが好ましい。
シャッタ部材には複数の突出部が長手方向に間隔をおいてシャッタ部材の下端面から下方に延び出すよう形成され、原稿搬送路には下案内板が備えられ、下案内板には複数のスリットが原稿搬送路の幅方向に間隔をおいて複数個形成され、スリットの各々は、原稿搬送方向に間隔をおいた位置から相互に接近する方向に下方に向かって傾斜するよう打ち出されることにより形成された一対の傾斜部の各々の先端間に形成され、シャッタ部材が開放位置から遮断位置まで鉛直に下降させられると、シャッタ部材の下端面は下案内板の上面に位置付けられかつシャッタ部材の突出部の各々は、対応するスリットの間に位置付けられ、シャッタ部材が遮断位置から開放位置まで鉛直に上昇させられると、シャッタ部材の突出部の各々は、対応するスリットの間から上方に抜け出して下案内板の上面よりも上方に間隔をおいて位置付けられる、ことが好ましい。
本発明の更に他の局面によれば、上記したいずれかの原稿搬送装置を備え、該原稿搬送装置によって搬送される原稿の画像を読み取って用紙に記録する、
ことを特徴とする画像形成機、が提供される。
【００１３】
【発明の実施の形態】
以下、本発明に従って構成された原稿搬送装置及び該原稿搬送装置を備えた画像形成機である静電複写機の好適実施形態を添付図面を参照して更に詳細に説明する。図１を参照して、全体を番号１００で示す静電複写機は、ほぼ直方体をなす複写機本体１０２を備えている。複写機本体１０２の上端には、後に詳述する原稿搬送装置１０が備えられている。複写機本体１０２内の上端部であって、原稿搬送装置１０の直下方位置には密着型イメージセンサ１０４が配設され、密着型イメージセンサ１０４の下方には、画像形成部１０６が配設されている。画像形成部１０６は、感光体ドラム１０８を備えている。感光体ドラム１０８は、図示しない駆動手段によって図１において反時計方向に回転駆動される。感光体ドラム１０８の周囲には、感光体ドラム１０８の表面を一様に帯電させるメインチャージャ１１０、密着型イメージセンサ１０４によって読み取られた原稿の画像を感光体ドラム１０８の表面に照射して静電潜像化するためのＬＥＤプリントヘッド１１２、感光体ドラム１０８の表面に形成された静電潜像をトナー像に現像するための現像装置１１４、感光体ドラム１０８の表面に形成されたトナー像を普通紙等の用紙に転写するための転写装置１１６、感光体ドラム１０８の表面に残留するトナーを払拭して回収するためのクリーニング装置１１８等が配設されている。感光体ドラム１０８及び感光体ドラム１０８の周囲に配設された上記各装置類は、画像形成部１０６を構成する。
【００１４】
複写機本体１０２内の下方位置には、給紙ローラ等を含む用紙収容部１２０、用紙収容部１２０に収容された用紙を画像形成部１０６の転写域に搬送するための用紙搬送路１２２が配設されている。用紙搬送路１２２には、給紙ローラに巻き掛けられた用紙を用紙搬送路１２２を通して搬送するための用紙搬送ローラ、該用紙を適宜の長さに切断するためのカッタ等が備えられている。転写装置１１６の下流側には、転写装置１１６によってトナー像が転写された用紙を搬送するための用紙搬送路１２４が備えられ、用紙搬送路１２４の下流位置には定着装置１２６、排出ローラ１２８が備えられている。複写機本体１０２の前面１０２ａ（図１において右端面）には、前カバー１３０が配設されている。前カバー１３０と複写機本体１０２の前面１０２ａとの間には、排出ローラ１２８によって排出された用紙を収容するためのポケット１３２が形成されている。複写機本体１０２の上端面には原稿搬送路１２が形成され、原稿搬送路１２の上流端部には原稿載置テーブル１３４が複写機本体１０２から張り出すよう配設されている。
【００１５】
原稿搬送装置１０によって後述するとおりにして原稿搬送路１２を搬送される原稿の画像は、密着型イメージセンサ１０４によって読み取られる。密着型イメージセンサ１０４によって読み取られた画像は、画像形成部１０６においてトナー像化された後、用紙収容部１２０から搬送された用紙に転写される。用紙に転写されたトナー像は定着装置１２６において定着、記録され、排出ローラ１２８によってポケット１３２に排出される。なお、用紙収容部１２０から搬送される用紙はカッタにより適宜のタイミングで所定の長さに切断される。概ね以上のとおりにして複写機１００による複写動作が遂行され、原稿の画像が記録された複写物が生成される。
【００１６】
次に上記複写機１００に備えられた原稿搬送装置１０について説明する。図２〜図４を参照して、原稿搬送装置１０は、ほぼ水平に延在するよう配設された原稿搬送路１２と、原稿搬送路１２における原稿挿入部１４に配置された原稿搬入ローラ対１６とを備えている。原稿挿入部１４の上流側には上記原稿載置テーブル１３４が配設されている。原稿挿入部１４には上案内板１４ａが配設されている。上案内板１４ａは後述する支持枠本体２４に装着されている。上案内板１４ａの上流側端部は、原稿載置テーブル１３４の下流側端部の上方に原稿挿入用の隙間をおいて位置付けられている。原稿搬送路１２における、原稿搬入ローラ対１６の下流側には、原稿押さえローラ２０及び排出ローラ対２２が上流から下流に向かってその順に配置されている。原稿搬入ローラ対１６は被駆動ローラ１６ａと従動ローラ１６ｂとから構成され、排出ローラ対２２は被駆動ローラ２２ａと従動ローラ２２ｂとから構成されている。原稿押さえローラ２０は従動ローラから構成されている。
【００１７】
複写機本体１０２の上端には、支持枠本体２４が、複写機本体１０２の上面部の少なくとも一部領域を上方に露呈する開位置と、複写機本体１０２の上面部の該領域を覆う閉位置との間を旋回軸２６まわりに旋回自在に支持されている。旋回軸２６は、複写機本体１０２の上端における、原稿搬送路１２の下流側端部に配設されている。支持枠本体２４の、上流側端部であって複写機１００の幅方向（図２及び図３において表裏方向）中央部には、上面から見てほぼ矩形状をなす切欠き部２４ａ（図４参照）が形成されている。支持枠本体２４の切欠き部２４ａ内には、カバー枠体３０が、切欠き部２４ａの下流側端部であって幅方向両端からそれぞれ内側に延び出すよう配設された旋回軸３１を介して旋回自在に支持されている。カバー枠体３０は、例えば、ＡＢＳ樹脂等の適宜の合成樹脂により一体成形することができる。原稿搬入ローラ対１６の被駆動ローラ１６ａ及び排出ローラ対２２の被駆動ローラ２２ａは複写機本体１０２の上端部に回転自在に配設されている。また原稿押さえローラ２０及び排出ローラ対２２の従動ローラ２２ｂは支持枠本体２４に回転自在に配設されている。原稿搬入ローラ対１６の従動ローラ１６ｂはカバー枠体３０に回転自在に配設されている。支持枠本体２４は通常は閉位置（図２〜図４に示される位置）に位置付けられている。支持枠本体２４が閉位置に位置付けられた状態において、原稿押さえローラ２０は後述するガラス７０の上面に圧接され、また排出ローラ対２２の従動ローラ２２ｂは被駆動ローラ２２ａに圧接される。
【００１８】
上記カバー枠体３０は、原稿搬入ローラ対１６の従動ローラ１６ｂが被駆動ローラ１６ａに圧接される閉位置（図２に示される位置）と、従動ローラ１６ｂが被駆動ローラ１６ａに対し上方に離隔した開位置（図３に示される位置）との間を選択的に、旋回軸３１まわりに旋回可能に支持されている。支持枠本体２４の切欠き部２４ａの上流側端部には、切欠き部２４ａの幅方向両端からそれぞれ内側に延び出す一対の係止ピン２４ｂ（図２〜図４において片方のみが示されている）が配設されている。カバー枠体３０の上流側端部における幅方向両端には、それぞれ被係止フック３２が配設されている。被係止フック３２の各々は、カバー枠体３０の幅方向に延在する共通の旋回軸３３に一体に装着されている。旋回軸３３の軸方向中央部には、ロック解除レバー部材３４（図２及び図３参照）が一体に装着されている。なおロック解除レバー部材３４は図４においては、図示が省略されている。また、ロック解除レバー部材３４とカバー枠体３０との間には図示しないばね部材が配設され、被係止フック３２の各々を旋回軸３３を介して係止方向に付勢している。
【００１９】
図２〜図６を参照して、支持枠本体２４の、カバー枠体３０の旋回軸３１の下流側には、ステー４０が旋回軸３１の軸方向（したがって複写機１００の上記幅方向）に延在するよう配設されている。鋼板等の金属板から形成することができるステー４０は、該幅方向（したがってステー４０の長手方向）に見て、鉛直方向に延在する本体部４１と、本体部４１の上端及び下端から下流方向に直角に延びる上フランジ４２及び下フランジ４３とを備え、全体としてチャンネル形状をなしている。ステー４０の長手方向両端には取付フランジ４４が形成されている。取付フランジ４４は図２、図３、図５及び図６において片方のみが示されている。ステー４０は、取付フランジ４４の各々を介して支持枠本体２４に装着され、そのチャンネル形状の開放側が下流方向に向けられて配置されている。ステー４０の本体部４１及び上フランジ４２の長手方向中央部には、上端から下端部に至る切欠き４５が長手方向の所定の範囲にわたって延在するよう形成されている。本体部４１における切欠き４５が形成された下端部には、頭付きの支持ピン４６が複数個、長手方向に間隔をおいてかつ上流側から下流側に向かってねじ結合されている。支持ピン４６の頭と本体部４１の上流側の鉛直面との間には所定の隙間が形成されている。
【００２０】
支持枠本体２４の、原稿搬入ローラ対１６の下流側に配置されたステー４０には、シャッタ部材５０が、原稿搬送路１２を遮断して原稿挿入部１４から原稿搬送路１２に挿入される原稿の先端が当接されて位置決めされる遮断位置（図２及び図５参照）と、原稿搬送路１２から上方に退避して該原稿の移動を許容する開放位置（図３及び図６参照）との間を昇降自在に支持されている。鋼板等の金属板から形成することができるシャッタ部材５０は、該幅方向（したがってシャッタ部材５０の長手方向）に見て、鉛直方向に延在するシャッタ部５１と、シャッタ部５１の上端から下流方向に直角に延びる上フランジ５２とを備え、全体としてＬ形状をなしている。シャッタ部材５０の長手方向長さは、ステー４０の切欠き４５の長手方向長さよりも短く形成されている。シャッタ部材５０のシャッタ部５１には、上端から下端部に到る、一定の幅及び深さを有する切欠き５５が複数個、長手方向に間隔をおいて形成されている。切欠き５５は、上フランジ５２の折曲部近傍の一部領域にまで延びている。シャッタ部５１に形成されている切欠き５５は、ステー４０の本体部４１にねじ結合されている支持ピン４６と整合する位置に形成されている。シャッタ部５１の切欠き５５の幅は、支持ピン４６の直径よりも若干大きくかつ支持ピン４６の頭の直径よりも小さく形成されている。また支持ピン４６の頭と本体部４１の上流側の鉛直面との間に形成されている上記所定の隙間は、またシャッタ部５１の板厚よりも若干大きく形成されている。
【００２１】
シャッタ部５１の切欠き５５の各々が、対応する支持ピン４６に嵌合されることにより、シャッタ部材５０はステー４０に対し昇降自在に支持される。シャッタ部材５０の上フランジ５２は、ステー４０の切欠き４５内であってかつ上フランジ４２及び下フランジ４３との間において、本体部４１から下流方向に延びるよう位置付けられる。ステー４０の下フランジ４３とシャッタ部材５０の上フランジ５２との間には、シャッタ部材５１を開放位置に向けて強制する弾性部材である圧縮コイルばね５６が複数個配設されている。圧縮コイルばね５６は、適宜のリテーナ手段により装着位置が保持されている。リテーナ手段は、例えば、ステー４０の下フランジ４３及びシャッタ部材５０の上フランジ５２に配設された図示しない保持爪から構成することができ、圧縮コイルばね５６の上端及び下端を図示しない保持爪に係止することにより圧縮コイルばね５６の装着位置を保持することができる。
【００２２】
上記カバー枠体３０にはシャッタ部材５０を昇降させうるカム手段である板ばね部材６０が、カバー枠体３０の長手方向に間隔をおいて複数個配設されている。板ばね部材６０の一端部は、カバー枠体３０の下流端部における上面に連結されている。板ばね部材６０は、板ばね部材６０の一端部からカバー枠体３０の上面に対し間隔をおいてかつ該上面に沿って下流方向に延びた後、カバー枠体３０の旋回軸３１まわりを旋回軸３１に対し間隔をおいてかつ旋回軸３１に対し偏心した半円形状で延在するよう形成されている。すなわち板ばね部材６０の他端部はほぼ円弧形状をなすよう形成され、円弧形状の外周面はカム面６２を構成する。実施形態において、このカム面６２は、シャッタ部材５０の上フランジ５２の上面に常時当接するよう、両者の位置関係が規定されている。シャッタ部材５０の上フランジ５２の上面５２ａは、被押圧面を規定する。
【００２３】
原稿搬入ローラ対１６の被駆動ローラ１６ａは、電磁クラッチＣＬを含む動力伝達機構を介して複写機本体１０２に設けられた駆動源である電動モータＭに駆動連結されている。排出ローラ対２２の被駆動ローラ２２ａは電動モータＭに図示しない動力伝達機構を介して駆動連結されている（いずれも図示せず）。原稿押さえローラ２０は排出ローラ対２２の従動ローラ２２ａに、図示しないプーリ及びベルトを介して駆動連結されている。原稿搬送路１２には原稿読取位置が設けられ、原稿読取位置には水平上面を有するガラス７０が配置されている。ガラス７０は複写機本体１０２の上端に配置されている。複写機本体１０２の、ガラス７０の下側には、光源である蛍光灯１０４ａを含む上記密着型イメージセンサ１０４が配置されている。原稿搬送路１２における原稿搬入ローラ対１６の直下流側には、原稿挿入部１４に挿入された原稿を検出しうる挿入原稿検出手段である挿入原稿検出スイッチＳＷ１が配設されている。挿入原稿検出スイッチＳＷ１はマイクロスイッチから構成されている。また、支持枠本体２４における、切欠き部２４ａの幅方向一端付近の下方位置には、カバー枠体３０の開位置及び閉位置を検出しうる開閉位置検出手段である開閉位置検出センサＳ１（図４参照）が配設されている。開閉位置検出センサＳ１は光学式透過型センサ（フォトインタラプタセンサ）から構成され、支持枠本体２４の切欠き部２４ａに開閉自在に支持されたカバー枠体３０の一側壁３０ａ（図４参照）の旋回軌跡上に配置されている。カバー枠体３０が開位置に位置付けられると、カバー枠体３０の一側壁３０ａが開閉位置検出センサＳ１から退避させられるので開閉位置検出センサＳ１はＯＮとなる。カバー枠体３０が閉位置に位置付けられると、カバー枠体３０の一側壁３０ａが開閉位置検出センサＳ１内に位置付けられるので、開閉位置検出センサＳ１はＯＦＦとなる。
【００２４】
図７を参照して、原稿搬送装置１０には制御手段（コントローラ）８０が備えられている。制御手段８０は、マイクロコンピュータによって構成されており、制御プログラムに従って演算処理する中央処理装置（ＣＰＵ）、制御プログラムを格納するＲＯＭ、演算結果等を格納する読み書き可能なＲＡＭ、カウンタ、タイマ、入力インターフェース及び出力インターフェース等を備えている。このように構成された制御手段８０の入力インターフェースには、上記挿入原稿検出スイッチＳＷ１、開閉位置検出センサＳ１、その他のセンサあるいはスイッチ等からの検出信号が入力され、出力インターフェースから、電動モータＭ、電磁クラッチＣＬ、等に制御信号を出力する。
【００２５】
以下、上記のように構成された原稿搬送装置１０の作動について説明する。図２及び図５を参照して、原稿のコピーを行なうに際しては、先ず、カバー枠体３０が、図３に示されている閉位置から旋回軸３１まわりに図３において反時計方向に旋回させられることにより開かれる（開位置に位置付けられる）。カバー枠体３０の開作動は、ロック解除レバー部材３４を図２において反時計方向に旋回させることにより、被係止フック３２の各々の、係止ピン２４ｂに対する係止を解除してから行なわれる。カバー枠体３０が開位置に向かって旋回軸３１まわりに上記反時計方向に旋回させられると、カバー枠体３０に取り付けられた板ばね部材６０のカム面６２が、シャッタ部材５０の上フランジ５２の被押圧面５２ａを圧縮コイルばね５６に抗して下降させる。板ばね部材６０のカム面６２とシャッタ部材５０の被押圧面５２ａとの接触部は、カバー枠体３０が開方向へ旋回させられるに従って、旋回軸３１から下方に（図２においては斜め下方に）離れてゆくよう構成されている。このため、カバー枠体３０が開位置まで旋回させられると、板ばね部材６０のカム面６２は、シャッタ部材５０の被押圧面５２ａを押圧してシャッタ部材５０を圧縮コイルばね５６に抗して遮断位置まで下降させる作用位置に位置付けられる。すなわちカバー枠体３０が開位置まで旋回させられると、シャッタ部材５０は、板ばね部材６０の弾性押し下げ作用により圧縮コイルばね５６に抗して下降させられ、遮断位置に位置付けられる。作用位置に位置付けられた板ばね部材６０は、カバー枠体３０を旋回軸３１まわりに図２において反時計方向に強制して開位置に保持する。したがって、カバー枠体３０を開いた状態を手で保持する必要がなく、実用上便利である。またシャッタ部材５０を作動させるための板ばね部材６０を利用してカバー枠体３０を開位置に保持できるので、カバー枠体３０を開位置に保持するために特別のばね部材を設ける必要がなく、コスト上及びスペース上有利である。
【００２６】
次いで、図示しない原稿が、原稿テーブル１８と上案内板１４ａとの間の隙間から原稿搬送装置１２の原稿挿入部１４に、使用者の手作業により挿入される。原稿搬入ローラ対１６の従動ローラ１６ｂは被駆動ローラ１６ａから上方に離隔され、従動ローラ１６ｂと被駆動ローラ１６ａとのニップ部は開放されているので、原稿挿入部１４から原稿搬送装置１２に挿入された原稿の先端部は、原稿搬入ローラ対１６の被駆動ローラ１６ａの外周面の上端部領域を通過して下流方向に移動させられる。そして原稿の先端は、遮断位置に位置付けられたシャッタ部材５０のシャッタ部５１における上流側の鉛直面に当接され、下流方向への移動が阻止されて原稿の搬送方向における位置決めが行なわれると共に、原稿の先端がシャッタ部材５０のシャッタ部５１における上流側の鉛直面によって原稿の搬送方向に対し直角に位置付けられる。原稿の先端を搬送方向に対し直角となるように位置決めする上記手作業は、原稿搬送装置１２を原稿の搬送方向に直交して位置付けられたシャッタ部材５０のシャッタ部５１における上流側の鉛直面に原稿の先端を当接させるだけでよいので、従来装置におけるような原稿搬入ローラ対１６のニップ部に原稿の先端を挿入する手作業に比べて、著しく容易となり、しかも正確な位置決めが可能となる。原稿が、大サイズ、例えばＪＩＳのＡ０サイズであっても、以上の作用効果は同様にして達成されるものである。原稿の先端部が原稿挿入部１４に挿入されると、挿入原稿検出スイッチＳＷ１はＯＮとなる。
【００２７】
図３及び図６を参照して、以上のとおりにして、原稿の先端がシャッタ部材５０のシャッタ部５１における上流側の鉛直面によって原稿の搬送方向に対し直角に位置付けられた後、カバー枠体３０が、図２に示されている開位置から旋回軸３１まわりに図２において時計方向に旋回させられることにより閉じられる（閉位置に位置付けられる）。カバー枠体３０の被係止フック３２の各々が係止ピン２４ｂに係止させられることにより、カバー枠体３０は閉位置にロックされる。カバー枠体３０が閉位置に向かって旋回軸３１まわりに上記時計方向に旋回させられると、カバー枠体３０に取り付けられた板ばね部材６０のカム面６２が、シャッタ部材５０の被押圧面５２ａに対する押圧を徐々に解除し、最終的にはシャッタ部材５０を圧縮コイルばね５６により開放位置まで上昇させる。板ばね部材６０のカム面６２とシャッタ部材５０の被押圧面５２ａとの接触部は、カバー枠体３０が閉方向へ旋回させられるに従って、旋回軸３１の下方に（図３においては斜め下方に）近付いてゆくよう構成されている。このため、カバー枠体３０が閉位置まで旋回させられると、カバー枠体３０に取り付けられた板ばね部材６０のカム面６２が、シャッタ部材５０の被押圧面５２ａに対する押圧を実質上解除して、シャッタ部材５０を圧縮コイルばね５６により開放位置まで上昇させる非作用位置に位置付けられる。すなわちカバー枠体３０が閉位置まで旋回させられると、シャッタ部材５０は、圧縮コイルばね５６の弾性押し上げ作用により上昇させられ、開放位置に位置付けられる。原稿搬入ローラ対１６の従動ローラ１６ｂは被駆動ローラ１６ａに、挿入された原稿の先端部を介して圧接させられるので、原稿の先端部は原稿搬入ローラ対１６の被駆動ローラ１６ａ及び従動ローラ１６ｂによりニップされる。カバー枠体３０が閉位置に位置付けられると、開閉位置検出センサＳ１はＯＦＦとなる。
【００２８】
以上のようにして、原稿の先端部が原稿挿入部１４に挿入されかつカバー枠体３０が閉位置に位置付けられると、制御手段８０は、挿入原稿検出スイッチＳＷ１からの検出信号（ＯＮ信号）及び開閉位置検出センサＳ１からの検出信号（ＯＦＦ信号）を入力してから所定時間経過後、電磁クラッチＣＬをＯＮさせた後、電動モータＭを回転駆動させる。これにより原稿搬入ローラ対１６、原稿押さえローラ２０及び排出ローラ対２２が回転駆動させられる。原稿搬入ローラ対１６にニップされた原稿は原稿搬送路１２に沿って下流方向に搬送され、次いで原稿押さえローラ２０及び排出ローラ対２２と協動して搬送される。原稿が画像読取位置のガラス７０を通過するに際しては、原稿押さえローラ２０によりガラス７０の水平上面に密着させられ、画像の正確な読取が保証される。原稿の搬送開始に際しては、原稿の先端がシャッタ部材５０のシャッタ部５１における上流側の鉛直面によって搬送方向に対し直角となるよう正確に位置決めされた状態で原稿の先端部が原稿搬入ローラ対１６にニップされているので、原稿搬入ローラ対１６が回転駆動させられた瞬間においても、原稿が斜めになることは確実に防止され、正しい姿勢で搬送方向に搬送される。すなわち原稿の斜め給紙は確実に防止され、原稿の損傷は確実に防止される。
【００２９】
原稿の後端が挿入原稿検出スイッチＳＷ１を通過して挿入原稿検出スイッチＳＷ１がＯＦＦされると、制御手段８０は、電磁クラッチＣＬをＯＦＦさせて原稿搬入ローラ対１６の被駆動ローラ１６ａの回転駆動を停止させる。原稿搬入ローラ対１６の回転駆動が停止される。また原稿の後端が挿入原稿検出スイッチＳＷ１を通過して挿入原稿検出スイッチＳＷ１がＯＦＦされてから所定時間経過後、すなわち制御手段８０は、原稿の後端が排出ローラ対２２を通過して原稿が原稿搬送装置１０から完全に排出されたと判断した場合には、電動モータＭの作動を停止させる。これにより排出ローラ対２２及び原稿押さえローラ２０の回転駆動が停止させられる。以上のとおりにして原稿搬送装置１０により搬送される原稿の画像は、原稿搬送路１２の途中に配設された画像読取位置を通過する過程において、上記密着型イメージセンサ１０４によって読み取られる。密着型イメージセンサ１０４によって読み取られた画像は画像形成部１０６においてトナー像化される。そして該トナー像は、上記用紙収容部１２０から搬送される用紙に転写、定着されることにより、原稿の画像のコピーが行なわれる。以上の複写動作は先に述べたとおりであり、詳細な説明は省略する。上記説明から明らかなように、上記原稿搬送装置１０を備えた複写機１００によれば、所定のとおりの円滑な画像記録の遂行が保証され、高い画像形成効率が確保される。
【００３０】
次に図８〜図１３を参照して本発明による原稿搬送装置１０の他の実施形態について説明する。先ず、図８及び図９を参照して、静電複写機１００は複写機本体１０２を備え、複写機本体１０２の上端部には原稿搬送装置１０が備えられている。複写機本体１０２を含む複写機１００の構成は、図１に示す複写機１００と実質的に同一であり、したがって説明は省略する。図８及び図９に示す原稿搬送装置１０は、以下の説明から明らかにされるように、図２及び図３に示す原稿搬送装置１０におけると同様に、カバー枠体３０が閉位置に旋回させられるとシャッタ部材５０が開放位置に上昇させられ、かつカバー枠体３０が開位置に旋回させられるとシャッタ部材５０が遮断位置に下降させられるよう、カバー枠体３０とシャッタ部材５０とが相互に連動しうるよう構成されている。しかしながら、図８及び図９に示す原稿搬送装置１０に備えられた、カバー枠体３０とシャッタ部材５０との相互の連動機構の具体的な構成は、図２及び図３に示す原稿搬送装置１０における該連動機構とは相違する。その他の基本的構成は実質的に同じであり、したがって、以下、主として相違する構成について説明し、相互に実質的に共通するその他の構成については、同一符号を付し、説明は省略する。
【００３１】
カバー枠体３０の上流側端部における幅方向両端には、それぞれ被係止フック３３が配設されている。被係止フック３３の各々は、直線状に延在する板ばね部材の下端にカール部を形成することにより構成され、そしてカバー枠体３０の幅方向両端の内側から垂下するよう、カバー枠体３０に装着されている。カバー枠体３０には、先の実施形態におけるロック解除レバー部材３４は装着されていない。カバー枠体３０を開位置から閉位置に、図８において時計方向に旋回させると、被係止フック３３の各々のカール部が、被係止フック３３の各々の弾性変形により、対応する係止ピン２４ｂを乗り越えて係止ピン２４ｂの下方に弾性的にかつ離脱自在に係止させられ、カバー枠体３０は閉位置に保持される（図９参照）。またカバー枠体３０を閉位置から開位置に向けて、図９において反時計方向に旋回させると、被係止フック３３の各々は、弾性変形によりカール部が、対応する係止ピン２４ｂを乗り越えて係止ピン２４ｂの上方に移動させられるので、対応する係止ピン２４ｂとの係止が解除され、開位置への旋回が許容される。
【００３２】
支持枠本体２４の、カバー枠体３０の旋回軸３１の直下流側であって、原稿搬送路１２よりも上方位置には、ステー４０が旋回軸３１の軸方向（したがって複写機１００の上記幅方向）に延在するよう配設されている。図１０〜図１２を参照して、鋼板等の金属板から形成することができるステー４０は、該幅方向、したがってステー４０の長手方向に見て、鉛直方向に延在する本体部４１と、本体部４１の上端及び下端から下流方向に直角に延びる上フランジ４２及び下フランジ４３とを備え、該幅方向に見てほぼチャンネル形状をなしている。ステー４０の長手方向両端には取付フランジ４４が形成されている。ステー４０は、取付フランジ４４の各々を介して支持枠本体２４に装着され、そのチャンネル形状の開放側が下流方向に向けられて配置されている。ステー４０の本体部４１及び上フランジ４２の長手方向中央部には、上端から下端部に至る切欠き４５が長手方向の所定の範囲にわたって延在するよう形成されている。本体部４１における切欠き４５が形成された下端部には、長手方向に間隔をおいて複数個、実施形態においては２個のねじ孔４５ａが形成され、ねじ孔４５ａの各々には頭付きの支持ピン４６が、上流側から下流側に向かってねじ結合されている。支持ピン４６の頭と本体部４１の上流側の鉛直面との間には所定の隙間が形成されている。
【００３３】
支持枠本体２４の、原稿搬入ローラ対１６の下流側に配置された上記ステー４０には、シャッタ部材５０が、原稿搬送路１２を遮断して原稿挿入部１４から原稿搬送路１２に挿入される原稿の先端が当接されて位置決めされる遮断位置（図８及び図１０参照）と、原稿搬送路１２から上方に退避して該原稿の移動を許容する開放位置（図９及び図１１参照）との間を昇降自在に支持されている。更に具体的に説明すると、シャッタ部材５０は、シャッタ部材５０の自重により該開放位置から該遮断位置に下降しかつシャッタ部材５０の自重に抗して該遮断位置から該開放位置に上昇しうるよう上記ステー４０に支持されている。
【００３４】
鋼板等の金属板から形成することができるシャッタ部材５０は、該幅方向、したがってシャッタ部材５０の長手方向に見て、鉛直方向に延在するシャッタ部５１と、シャッタ部５１の上端から下流方向に直角に延びる上フランジ５２とを備え、全体としてＬ形状をなしている。シャッタ部材５０の長手方向長さは、ステー４０の切欠き４５の長手方向長さよりも短く形成されている。シャッタ部材５０のシャッタ部５１の長手方向両端部には、上端から下端部に至る、一定の幅及び深さを有する切欠き５３がそれぞれ１個形成されている。相互に実質的に同形をなす切欠き５３の各々は、上フランジ５２の折曲部近傍の一部領域にまで延びている。上フランジ５２の、切欠き５３の各々の下流側領域における下面は、被作用面５２Ａを規定する。シャッタ部５１の長手方向両端部近傍位置であって、切欠き５３の長手方向内側位置には、相互に実質的に同形をなす長孔５４が鉛直方向に延在するよう形成されている。長孔５４の各々は、ステー４０の本体部４１にねじ結合されている支持ピン４６と整合する位置に形成されている。長孔５４の各々の幅は、支持ピン４６の直径よりも若干大きくかつ支持ピン４６の頭の直径よりも小さく形成されている。支持ピン４６の頭と本体部４１の上流側の鉛直面との間に形成されている上記所定の隙間は、シャッタ部５１の板厚よりも若干広く設定されている。シャッタ部５１には長手方向に間隔をおいて複数の、実施形態においては４個の突出部５７が、シャッタ部５１の下端面５１ａから下方にそれぞれ同じ長さだけ延び出すよう形成されている。突出部５７のうちの２個は、シャッタ部５１の両端部に形成されている。シャッタ部５１の下端面５１ａは実質的に同一平面上に位置付けられている。
【００３５】
図８、図９及び図１２を参照して、上記複写機本体１０２の上端であって、上案内板１４ａの下方には、原稿搬送路１２の下案内板１５が、上案内板１４ａに対し間隔をおいて対向するよう配設されている。平坦な鋼板等の金属製基板から形成することができる下案内板１５には、スリット１５Ａが、原稿搬送路１２の幅方向に間隔をおいて複数個、実施形態においては４個、形成されている。相互に実質的に同形をなすスリット１５Ａの各々は、原稿搬送方向に間隔をおいた位置から相互に接近する方向に下方に向かって傾斜するよう打ち出されることにより形成された一対の傾斜部１５ａにより形成されている（図１３をも参照）。一対の傾斜部１５ａはほぼ矩形状をなし、各々の先端間に、原稿搬送路１２の幅方向に延在するスリット１５Ａが形成される。スリット１５Ａの、原稿搬送方向幅は、シャッタ部材５０の突出部５７の板厚よりも広く設定されている。下案内板１５にはまた、原稿搬入ローラ対１６の被駆動ローラ１６ａの外周面の頂部を、下案内板１５の上面から上方に突出させるための開口部１５Ｂが、原稿搬送路１２の幅方向に間隔をおいて複数個形成されている。開口部１５Ｂは、原稿搬送方向に間隔をおいた位置から相互に接近する方向に下方に向かって傾斜するよう打ち出されることにより形成された一対の傾斜部１５ｂにより形成されている（図１３をも参照）。一対の傾斜部１５ｂはほぼ矩形状をなし、各々の先端間に開口部１５Ｂが形成される。図１２において、符号ＳＷ１は挿入原稿検出スイッチを示し、下案内板１５に形成された他のスリット１５Ｃからその頂部が突出するよう位置付けられている。
【００３６】
シャッタ部材５０のシャッタ部５１における長孔５４の各々が、ステー４０の本体部４１の、対応する支持ピン４６に嵌合されることにより、シャッタ部材５０はステー４０に対し昇降自在に支持される。シャッタ部材５０は、長孔５４の各々が、対応する支持ピン４６に嵌合されると、シャッタ部材５０の自重により下降し、シャッタ部５１の下端面５１ａは、下案内板１５の平坦な上面に載置され、シャッタ部５１の突出部５７の各々は、下案内板１５のスリット１５Ａ間に位置付けられ、シャッタ部材５０は遮断位置に位置付けられる。シャッタ部５１は、突出部５７の各々が下案内板１５の上面からスリット１５Ａ内に延び出すよう位置付けられ、また、シャッタ部５１の、突出部５７の各々以外の鉛直面は、原稿搬送路１２を幅方向に延在して遮断するよう位置付けられることになる。
【００３７】
上記カバー枠体３０には、カバー枠体３０の旋回によってシャッタ部材５０を昇降させる作用突部である作用板部材９０が配設されている。実施形態において、作用板部材９０は、カバー枠体３０の両端部下面にそれぞれ１個（合計２個）配設されている。図１０〜図１２を参照して、例えば、ＡＢＳ樹脂等の適宜の合成樹脂から一体成形することができる作用板部材９０は、矩形状の取付基部９１と、取付基部９１の先端から直角に下方に延び出すよう形成された矩形状の段部９２と、段部９２の先端から直角に前方に延び出すよう形成された矩形状の作用部９３とから構成され、それぞれ実質的に一定の厚さ及び幅を有している。取付基部９１には取付孔９１ａが形成されている。作用部９３の上面前端部における両側部には、上方に突出する作用突起９３ａが形成されている。作用部９３を側方から見て、作用突起９３ａの上端は円弧面をなすよう形成されている。カバー枠体３０の、両端部下面であって、旋回軸３１の軸線の直上流位置には、作用板部材９０の取付部３０Ａが形成されている。取付部３０Ａの各々は、ＡＢＳ樹脂等の適宜の合成樹脂から一体に成形されているカバー枠体３０の下面に形成された、図示しない補強リブの平坦な下面により形成されている。作用板部材９０の各々は、各々の取付基部９１が、カバー枠体３０の、対応する取付部３０Ａに図示しないビスにより離脱自在に係止されることにより、カバー枠体３０に装着される。作用板部材９０の各々の作用部９３の先端部は、カバー枠体３０の下流端から下流方向に突出するよう位置付けられる。なお、カバー枠体３０の、該幅方向の長さは、ステー４０の切欠き４５の該幅方向の長さよりも短く形成され、カバー枠体３０の旋回動作に干渉しないよう構成されている。シャッタ部材５０の上記被作用面５２Ａは、作用板部材９０の作用突起９３ａの旋回軌跡上に配置されている。
【００３８】
以下、図８〜図１２を参照して説明した原稿搬送装置１０の作動について説明する。図８及び図１０を参照して、原稿のコピーを行なうに際しては、先ず、カバー枠体３０が、図９に示されている閉位置から旋回軸３１まわりに図９において反時計方向に旋回させられることにより開かれる（開位置に位置付けられる）。カバー枠体３０の被係止フック３３の各々と、対応する係止ピン２４ｂとの係止が旋回強制力により解除され、カバー枠体３０が開位置に向かって旋回軸３１まわりに上記反時計方向に旋回させられると、作用板部材９０の各々の作用突起９３ａがシャッタ部材５０の被作用面５２Ａから下方に離隔する方向に旋回移動して、シャッタ部材５０を自重により遮断位置に向かって下降させる。カバー枠体３０が開位置まで更に旋回させられると、作用突起９３ａはシャッタ部材５０の被作用面５２Ａから下方に離隔させられ、シャッタ部材５０は自重により更に下降して遮断位置に位置付けられる。なお、カバー枠体３０の開位置は、図８に示す位置よりも更に反時計方向に旋回させた位置にあり（図示せず）、カバー枠体３０の上面が、支持枠本体２４の切欠き部２４ａの、下流側上縁２４ｃ（図４参照）に自重により当接した状態で安定して保持されるよう構成されている。
【００３９】
次いで、図示しない原稿が、原稿テーブル１８と上案内板１４ａとの間の隙間から原稿搬送装置１２の原稿挿入部１４に、使用者の手作業により挿入される。原稿搬入ローラ対１６の従動ローラ１６ｂは被駆動ローラ１６ａから上方に離隔され、従動ローラ１６ｂと被駆動ローラ１６ａとのニップ部は開放されているので、原稿挿入部１４から原稿搬送装置１２に挿入された原稿の先端部は、原稿搬入ローラ対１６の被駆動ローラ１６ａの外周面の上端部領域を通過して下流方向に移動させられる。そして原稿の先端は、遮断位置に位置付けられたシャッタ部材５０のシャッタ部５１における上流側の鉛直面に当接され、下流方向への移動が阻止されて原稿の搬送方向における位置決めが行なわれると共に、原稿の先端がシャッタ部材５０のシャッタ部５１における上流側の鉛直面によって原稿の搬送方向に対し直角に位置付けられる。原稿の先端を搬送方向に対し直角となるように位置決めする上記手作業は、原稿搬送装置１２を原稿の搬送方向に直交して位置付けられたシャッタ部材５０のシャッタ部５１における上流側の鉛直面に原稿の先端を当接させるだけでよいので、従来装置におけるような原稿搬入ローラ対１６のニップ部に原稿の先端を挿入する手作業に比べて、著しく容易となり、しかも正確な位置決めが可能となる。原稿が、大サイズ、例えばＪＩＳのＡ０サイズであっても、以上の作用効果は同様にして達成されるものである。原稿の先端部が原稿挿入部１４に挿入されると、挿入原稿検出スイッチＳＷ１はＯＮとなる。
【００４０】
図９及び図１１を参照して、以上のとおりにして、原稿の先端がシャッタ部材５０のシャッタ部５１における上流側の鉛直面によって原稿の搬送方向に対し直角に位置付けられた後、カバー枠体３０が、図示しない開位置から旋回軸３１まわりに図８において時計方向に旋回させられることにより閉じられる（閉位置に位置付けられる）。カバー枠体３０の被係止フック３３の各々が、対応する係止ピン２４ｂの下側に弾性的に係止されるので、カバー枠体３０は閉位置に安定して保持される。カバー枠体３０が閉位置に向かって旋回軸３１まわりに上記時計方向に旋回させられると、作用板部材９０の各々の作用突起９３ａがシャッタ部材５０の被作用面５２Ａに下方から当接してシャッタ部材５０を自重に抗して開放位置に向けて上昇させ、カバー枠体３０が閉位置まで更に旋回させられると、作用突起９３ａはシャッタ部材５０の被作用面５２Ａを更に上昇させてシャッタ部材５０を開放位置に位置付ける。シャッタ部材５０の突出部５７の各々は、下案内板１５のスリット１５Ａから上方に抜け出し、下案内板１５の上面よりも上方に間隔をおいて位置付けられる。原稿搬入ローラ対１６の従動ローラ１６ｂは被駆動ローラ１６ａに、挿入された原稿の先端部を介して圧接させられるので、原稿の先端部は原稿搬入ローラ対１６の被駆動ローラ１６ａ及び従動ローラ１６ｂによりニップされる。カバー枠体３０が閉位置に位置付けられると、開閉位置検出センサＳ１（図４参照）はＯＦＦとなる。
【００４１】
以上のようにして、原稿の先端部が原稿挿入部１４に挿入されかつカバー枠体３０が閉位置に位置付けられると、制御手段８０（図７参照）は、挿入原稿検出スイッチＳＷ１からの検出信号（ＯＮ信号）及び開閉位置検出センサＳ１からの検出信号（ＯＦＦ信号）を入力してから所定時間経過後、電磁クラッチＣＬをＯＮさせた後、電動モータＭを回転駆動させる。これにより原稿搬入ローラ対１６、原稿押さえローラ２０及び排出ローラ対２２が回転駆動させられる。原稿搬入ローラ対１６にニップされた原稿は原稿搬送路１２に沿って下流方向に搬送され、次いで原稿押さえローラ２０及び排出ローラ対２２と協動して搬送される。原稿が画像読取位置のガラス７０を通過するに際しては、原稿押さえローラ２０によりガラス７０の水平上面に密着させられ、画像の正確な読取が保証される。原稿の搬送開始に際しては、原稿の先端がシャッタ部材５０のシャッタ部５１における上流側の鉛直面によって搬送方向に対し直角となるよう正確に位置決めされた状態で原稿の先端部が原稿搬入ローラ対１６にニップされているので、原稿搬入ローラ対１６が回転駆動させられた瞬間においても、原稿が斜めになることは確実に防止され、正しい姿勢で搬送方向に搬送される。すなわち原稿の斜め給紙は確実に防止され、原稿の損傷は確実に防止される。
【００４２】
原稿の後端が挿入原稿検出スイッチＳＷ１を通過して挿入原稿検出スイッチＳＷ１がＯＦＦされると、制御手段８０は、電磁クラッチＣＬをＯＦＦさせて原稿搬入ローラ対１６の被駆動ローラ１６ａの回転駆動を停止させる。原稿搬入ローラ対１６の回転駆動が停止される。また原稿の後端が挿入原稿検出スイッチＳＷ１を通過して挿入原稿検出スイッチＳＷ１がＯＦＦされてから所定時間経過後、すなわち制御手段８０は、原稿の後端が排出ローラ対２２を通過して原稿が原稿搬送装置１０から完全に排出されたと判断した場合には、電動モータＭの作動を停止させる。これにより排出ローラ対２２及び原稿押さえローラ２０の回転駆動が停止させられる。以上のとおりにして原稿搬送装置１０により搬送される原稿の画像は、原稿搬送路１２の途中に配設された画像読取位置を通過する過程において、密着型イメージセンサ７４によって読み取られる。密着型イメージセンサ１０４によって読み取られた画像は画像形成部１０６においてトナー像化される。そして該トナー像は、上記用紙収容部１２０から搬送される用紙に転写、定着されることにより、原稿の画像のコピーが行なわれる。以上の複写動作は先に述べたとおりであり、詳細な説明は省略する。
【００４３】
図８〜図１２を参照して説明した上記原稿搬送装置１０を備えた複写機１００により複写を行なうために原稿の搬送動作を遂行しているときに、ジャムが発生した場合には、原稿が搬送路１２上に残された状態で原稿の搬送動作が停止させられる。この状態でカバー枠体３０を閉位置から開位置に旋回させると、カバー枠体３０の作用板部材９０の各々がシャッタ部材５０の、対応する被作用面５２Ａから下方に離隔する方向に移動してシャッタ部材５０を自重により遮断位置に向けて下降させる。図１３に示すように、シャッタ部材５０は、シャッタ部材５０の下端である突出部５７の下端が搬送路１２上に残された原稿Ｐの上面に当接してそれ以上の下降が阻止される。上記したように、シャッタ部材５０は、自重により下降するよう構成されているので、搬送路１２上に残された原稿Ｐの上面に当接しても原稿Ｐに過剰な負荷を与えることはない。したがって、原稿Ｐが搬送路１２上に残された状態でカバー枠体３０を閉位置から開位置に旋回させても、原稿Ｐを損傷するおそれはない。図２〜図７を参照して説明した上記原稿搬送装置１０においては、カバー枠体３０が開位置に位置付けられると、シャッタ部材５０は板ばね部材６０の作用により圧縮コイルばね５６のばね力に抗して遮断位置に位置付けられるよう構成されているので、圧縮コイルばね５６及び板ばね部材６０のばね力が過剰に強いと、上記したように原稿Ｐが原稿搬送路１２上に残された状態でカバー枠体３０を閉位置から開位置に旋回させると、原稿Ｐを損傷するおそれがある。したがって、図２〜図７を参照して説明した上記原稿搬送装置１０においては、上記ばね力の設定には注意が必要となる。
【００４４】
先に述べたように、図８〜図１３を参照して説明した原稿搬送装置１０において、下案内板１５には、スリット１５Ａが、原稿搬送路１２の幅方向に間隔をおいて４個形成されている。スリット１５Ａの各々は、原稿搬送方向に間隔をおいた位置から相互に接近する方向に下方に向かって傾斜するよう打ち出されることにより形成された一対の傾斜部１５ａにより形成されているので、シャッタ部材５０が上記遮断位置に位置付けられた状態で原稿の先端をシャッタ部材５０の鉛直面に当接させる際、あるいはシャッタ部材５０が上記遮断位置から上記開放位置に上昇させられてセットされた原稿が搬送を開始する際、原稿の先端が下方にカールしていたとしても、原稿の先端がスリット１５Ａの各々内に食い込むおそれはなく、円滑な搬送が保証される。上記説明から明らかなように、図８〜図１３を参照して説明した原稿搬送装置１０を備えた複写機１００によれば、図２〜図７を参照して説明した先の原稿搬送装置１０を備えた複写機１００と同様に、所定のとおりの円滑な画像記録の遂行が保証され、高い画像形成効率が確保される。
【００４５】
以上、本発明を実施形態に基づいて添付図面を参照しながら詳細に説明したが、本発明は上記実施形態に限定されるものではなく、本発明の範囲を逸脱することなく、更に他の種々の変形あるいは修正が可能である。例えば、図８〜図１３を参照して説明した上記原稿搬送装置１０において、シャッタ部材５０は鋼板等の金属板から構成されているが、適宜の合成樹脂製の板部材から構成することも可能である。
【００４６】
【発明の効果】
本発明による原稿搬送装置によれば、原稿の先端を搬送方向に対し直角となるように正確に位置決めする手作業を容易に可能にし、その結果、原稿の斜め給紙を確実に防止して原稿の損傷を確実に防止することを可能にする。また、大サイズの原稿であっても原稿の先端を搬送方向に対し直角となるように正確に位置決めする手作業を容易に可能にし、その結果、原稿の斜め給紙を確実に防止して原稿の損傷を確実に防止することを可能にする。本発明による画像形成機、実施形態においては複写機によれば、原稿の先端を搬送方向に対し直角となるように正確に位置決めする手作業を容易に可能にし、その結果、原稿の斜め給紙を確実に防止して原稿の損傷を確実に防止することを可能にする原稿搬送装置を備えることにより、所定のとおりの円滑な画像記録の遂行が保証され、高い画像形成効率が確保される。また、大サイズの原稿であっても原稿の先端を搬送方向に対し直角となるように正確に位置決めする手作業を容易に可能にし、その結果、原稿の斜め給紙を確実に防止して原稿の損傷を確実に防止することを可能にする原稿搬送装置を備えることにより、所定のとおりの円滑な画像記録の遂行が保証され、高い画像形成効率が確保される。
【図面の簡単な説明】
【図１】本発明による原稿搬送装置の実施形態を備えた複写機の実施形態の構成を示す側面図。
【図２】複写機に備えられた本発明による原稿搬送装置の実施形態の構成を概略的に示す断面図。
【図３】図２に示す原稿搬送装置の他の作動態様を示す断面図。
【図４】図２に示す原稿搬送装置の一部を示す斜視図。
【図５】図２に示す原稿搬送装置の要部を拡大して示す断面概略図。
【図６】図２に示す原稿搬送装置の要部を拡大して示す断面概略図。
【図７】本発明による原稿搬送装置の作動を制御する制御関連構成を示す簡略図。
【図８】複写機に備えられた本発明による原稿搬送装置の他の実施形態の構成を概略的に示す断面図。
【図９】図８に示す原稿搬送装置の他の作動態様を示す断面図。
【図１０】図８に示す原稿搬送装置の要部を拡大して示す断面概略図。
【図１１】図９に示す原稿搬送装置の要部を拡大して示す断面概略図。
【図１２】図８に示す構成部材を分解しかつ縮小して示す斜視図。
【図１３】図８に示す原稿搬送装置の要部を拡大して示す断面概略図であって、更に他の作動態様を示す断面概略図。
【符号の説明】
１０  原稿搬送装置
１２  原稿搬送路
１４  原稿挿入部
１６  原稿搬入ローラ対
１６ａ  被駆動ローラ
１６ｂ  従動ローラ
２４  支持枠本体
３０  カバー枠体
５０  シャッタ部材
５２ａ  被押圧面
５２Ａ  被作用面
５６  圧縮コイルばね（弾性部材）
６０  板ばね部材（カム手段）
６２  カム面
９０  作用板部材
１００  複写機
１０２  複写機本体
１０４  密着型イメージセンサ
１０６  画像形成部
Ｓ１  開閉位置検出センサ
ＳＷ１  挿入原稿検出スイッチ
【図１】
0003863381.tif 000002
【図２】
0003863381.tif 000003
【図３】
0003863381.tif 000004
【図４】
0003863381.tif 000005
【図５】
0003863381.tif 000006
【図６】
0003863381.tif 000007
【図７】
0003863381.tif 000008
【図８】
0003863381.tif 000009
【図９】
0003863381.tif 000010
【図１０】
0003863381.tif 000011
【図１１】
0003863381.tif 000012
【図１２】
0003863381.tif 000013
【図１３】
0003863381.tif 000014